(57)【要約】      （修正有）【課題】小型および軽量を維持しつつ、機能の多様化に対応した着脱可能な携帯端末用アダプタを提供する。【解決手段】携帯電話に着脱可能なフタ５０の内側に、付加機能部品７０を取付けたことを特徴とする携帯端末用アダプタおよび携帯端末ならびに携帯端末用アダプタの選択装着方法。また、メモリーカード、チューナ回路モジュール、無線通信装置回路モジュール、アンテナ、カメラモジュール、スピーカ、吸盤、グリップ、写真を貼り付ける部位、ゲームボックス、付加機能部品を取り付けるホルダを固定、あるいは付加機能部品と電気的に接続をするためのコネクタを備えた複数の携帯端末用アダプタのいずれかを選択的に装着可能とすることを特徴とする携帯端末に着脱可能な携帯端末用アダプタおよび携帯端ならびに携帯端末用アダプタの選択装着方法を提供する。【選択図】  図９
2004266407.tif 000002
【特許請求の範囲】
【請求項１】
携帯端末に着脱可能なフタの内側に、付加機能部品を取付けたことを特徴とする携帯端末用アダプタ。
【請求項２】
請求項１記載の携帯端末用アダプタにおいて、前記付加機能部品と電気的に接続するアダプタ側部品接続コネクタを備えたことを特徴とする携帯端末用アダプタ。
【請求項３】
請求項１記載の携帯端末用アダプタにおいて、前記付加機能部品がメモリカードであることを特徴とする携帯端末用アダプタ。
【請求項４】
請求項１記載の携帯端末用アダプタにおいて、前記付加機能部品がチューナ回路モジュールまたは無線通信装置回路モジュールまたはアンテナであることを特徴とする携帯端末用アダプタ。
【請求項５】
請求項１記載の携帯端末用アダプタにおいて、前記付加機能部品がカメラモジュールまたはスピーカであることを特徴とする携帯端末用アダプタ。
【請求項６】
請求項１記載の携帯端末用アダプタにおいて、前記付加機能部品が吸盤またはグリップまたは写真を貼り付ける部位またはゲームボックスであることを特徴とする携帯端末用アダプタ。
【請求項７】
携帯端末に着脱可能なフタの内側に、付加機能部品を取付けるホルダを固定したことを特徴とする携帯端末用アダプタ。
【請求項８】
着脱可能なフタの内側に取付けた付加機能部品と電気的接続をするためのコネクタを備えたことを特徴とする携帯端末。
【請求項９】
携帯端末に着脱可能なフタであって内側に付加機能部品を取付けた複数の携帯端末用アダプタのいずれか１つを選択的に装着可能なことを特徴とする携帯端末。
【請求項１０】
携帯端末に着脱可能なフタであって内側に付加機能のための部品を取付けた複数の異なる付加機能の携帯端末用アダプタを、複数用意し、該複数の携帯端末用アダプタのいずれかを選択して前記携帯端末に装着することを特徴とする携帯端末用アダプタの選択装着方法。
【発明の詳細な説明】
【０００１】
【発明の属する技術分野】
本発明は、携帯端末用アダプタおよび携帯端末ならびに携帯端末用アダプタの選択装着方法に関する。
【０００２】
【従来の技術】
携帯端末のうちの特に携帯電話は、小型および軽量でどこででも気軽に利用できるので普及している。
【０００３】
さらに進んで最近では、カメラ機能を備え撮像した画像を相手の携帯端末に送ったり、写真を送ったり、表示画面でゲームを楽しんだりして、多くの付加機能が簡単に楽しめるようになっている。
【０００４】
このような付加機能を追加すると、それにともない携帯電話で必要なメモリ容量が増大してメモリ容量が足りなくなるため、ＳＤカードやミニＳＤカードなどといわれるメモリカードを内蔵した携帯電話が市場にでまわるようになっている。
【０００５】
またラジオなどを受信動作する機能と、外部メモリ媒体を差し込んで接続する部分とを設けて、オーディオ機能として作動させる携帯電話が考えられている（例えば、特許文献１参照）。
【０００６】
【特許文献１】
特開平１０−１４５４７０号公報（要約）
【０００７】
【発明が解決しようとする課題】
しかしながら、メモリカードを内蔵するとその分携帯電話の外観形状が大きくなり、且つ価格もコストアップする。
【０００８】
また操作部と表面部の形状が気にいって買いたいお客にとっては、外観形状が大きいものをもしくは、携帯電話本来の電話機能だけでよいお客にとっては、高い携帯電話を買わざるをえないこととなる。
【０００９】
また、上記オーディオ機能として作動させる携帯電話にあっても、外観形状が大きくなり、しかもコストアップする。
【００１０】
したがって、この場合でも、操作部と表面部の形状が気にいって買いたいお客にとっては、外観形状が大きいものをもしくは、携帯電話本来の電話機能だけでよいお客にとっては、高い携帯電話を買わざるをえないこととなる。
【００１１】
本発明の目的は、小型および軽量を維持しつつ、機能の多様化に対応した携帯端末用アダプタおよび携帯端末ならびに携帯端末用アダプタの選択装着方法を提供することにある。
【００１２】
【課題を解決するための手段】
本発明は、携帯端末に着脱可能なフタの内側に、付加機能部品を取付けたことを特徴とする携帯端末用アダプタである。
【００１３】
本発明は、上記記載の携帯端末用アダプタにおいて、前記付加機能部品と電気的に接続するアダプタ側部品接続コネクタを備えたことを特徴とする携帯端末用アダプタである。
【００１４】
本発明は、上記記載の携帯端末用アダプタにおいて、前記付加機能部品がメモリカードであることを特徴とする携帯端末用アダプタである。
【００１５】
本発明は、上記記載の携帯端末用アダプタにおいて、前記付加機能部品がチューナ回路モジュールまたは無線通信装置回路モジュールまたはアンテナであることを特徴とする携帯端末用アダプタである。
【００１６】
本発明は、上記記載の携帯端末用アダプタにおいて、前記付加機能部品がカメラモジュールまたはスピーカであることを特徴とする携帯端末用アダプタである。
【００１７】
本発明は、上記記載の携帯端末用アダプタにおいて、前記付加機能部品が吸盤またはグリップまたは写真を貼り付ける部位またはゲームボックスであることを特徴とする携帯端末用アダプタである。
【００１８】
本発明は、携帯端末に着脱可能なフタの内側に、付加機能部品を取付けるホルダを固定したことを特徴とする携帯端末用アダプタである。
【００１９】
本発明は、着脱可能なフタの内側に取付けた付加機能部品と電気的接続をするためのコネクタを備えたことを特徴とする携帯端末である。
【００２０】
本発明は、携帯端末に着脱可能なフタであって内側に付加機能部品を取付けた複数の携帯端末用アダプタのいずれか１つを選択的に装着可能なことを特徴とする携帯端末である。
【００２１】
本発明は、携帯端末に着脱可能なフタであって内側に付加機能のための部品を取付けた複数の異なる付加機能の携帯端末用アダプタを、複数用意し、該複数の携帯端末用アダプタのいずれかを選択して前記携帯端末に装着することを特徴とする携帯端末用アダプタの選択装着方法である。
【００２２】
【発明の実施の形態】
本発明の実施の形態として携帯電話について以下図を用いて説明する。各図において同一箇所には同一符号を付けた。
【００２３】
図１は本発明の実施の形態における携帯電話の使用状態を示す正面斜視図である。実施の形態において、携帯電話は例として折りたたみタイプの携帯電話を示すが、本発明は何もこのタイプに限定されず、非折りたたみのストレートタイプの携帯電話であってもよい。
【００２４】
図１における折りたたみタイプの携帯電話は、図示のように、第１の筐体１０と第２の筐体２０とが、それぞれの端部で折りたたみ可能なヒンジ部３０を構成していて、第２の筐体２０に対して第１の筐体１０を開閉することができる。第１の筐体１０を開くことで、図示の使用状態としている。
【００２５】
第１の筐体１０に表示部１１を備え、第２の筐体２０に操作キー２１とアンテナ２２を備えてなり、操作キー２１を操作してアンテナ２２より無線電話を着信し、着信した電話の内容を表示部１１に表示する。
【００２６】
また、第１の筐体１０にレシーバ１２を備え、着信した電話の内容を聞くことができる。
【００２７】
第２の筐体２０にマイク２３を備え、しゃべった音声信号をアンテナ２２より相手の携帯電話に送ることができる。
【００２８】
また、ヒンジ部３０にカメラ３１を備え、撮像した画像を内部メモリに記憶してから表示部１１で見たり、アンテナ２２より相手の携帯電話に送ることができる。
【００２９】
図２は図１の裏面斜視図であり、筐体の電池収納部を覆う着脱可能な電池フタを装着した図である。第２の筐体２０はその裏面側に電池収納部を備え、その電池収納部に、着脱可能な電池フタ４０を装着して、電池フタ４０で電池収納部を覆っている。
【００３０】
図３は図１の裏面斜視図であり、筐体の電池収納部を覆う着脱可能なフタの内側に、付加機能部品を取付けた携帯電話用アダプタを装着した図である。第２の筐体２０の電池収納部を覆う着脱可能なフタの内側に、付加機能を実現するための付加機能部品を取付けた携帯電話用アダプタ５０を装着して、携帯電話用アダプタ５０で電池収納部を覆っている。
【００３１】
図１と図２と図３でわかるように、図１と図２と図３における携帯電話は同じであり、同じ携帯電話の電池収納部に対して、図２の電池フタ４０を装着したり取り外したり、また図３の携帯電話用アダプタ５０を装着したり取り外したりすることができる。
【００３２】
図４は携帯電話の携帯状態を示す裏面斜視図であり、筐体の電池収納部を覆う着脱可能な電池フタまたは電池収納部を覆う着脱可能なフタの内側に付加機能部品を取付けた携帯電話用アダプタを取り外した図である。第２の筐体２０の電池収納部２４に、挿入される電池６０の電子接点と接続される電池接続コネクタ２５を備えている。また電池収納部２４に、携帯電話用アダプタ５０を装着した際、携帯電話用アダプタ５０の内側に取付けた付加機能部品が、回路を含む付加機能部品の場合の該回路を含む付加機能部品と電気的に接続されたアダプタ側部品接続コネクタを接触するための電話側部品接続コネクタ２６を備えている。このことにより、第２の筐体２０の電池収納部２４に、携帯電話用アダプタ５０を装着すると、自動的に、回路を含む付加機能部品と電話側部品接続コネクタ２６とを電気的に接続することができる。
【００３３】
図５は電池フタを内面側からみた斜視図である。電池フタ４０には、電池フタ４０を図４に図示の電池収納部２３に装着した際、電池収納部２４に設けた係止部２４ａと係合するためのフタ係止部４０ａを複数箇所に備えている。電池フタ４０を図４の上側より動かして筐体２０に接触させ、次に図の右側にスライドさせることにより、両方の係止部４０ａ，２４ａが係止して、電池フタ４０が係止される。電池フタ４０が係止された図が図２である。
【００３４】
図６は図２のＶＩ―ＶＩの線に沿う拡大断面図である。図７は図２のＶＩＩ―ＶＩＩの線に沿う断面図である。図８は図７のＶＩＩＩの部分の拡大断面図である。電池フタ４０が電池収納部２４に収納された電池６０の外側を覆っている。
【００３５】
図９は携帯電話用アダプタ５０を内面側からみた斜視図である。携帯電話用アダプタ５０には、付加機能部品７０を取付けるホルダ５１を固定している。
【００３６】
図１０は携帯電話用アダプタ５０の分解斜視図である。携帯電話用アダプタ５０は、ホルダ５１の内側にフレキシブル基板５２を挿入して、フレキシブル基板５２の穴５２ａをホルダ５１のへこみ５１ａに嵌めこみ、ホルダ５１の穴５１ａと部品接続コネクタ５３の穴５３ａを合わせてから、部品接続コネクタ５３をネジ５４で固定することで構成される。
【００３７】
図１１は図３のＸＩ―ＸＩの線に沿う拡大断面図である。図１２は図３のＸＩＩＸＩＩの線に沿う断面図である。図１３は図１２のＸＩＩＩの部分の拡大断面図である。携帯電話用アダプタ５０が電池収納部２４に収納された電池６０の外側を覆っており、且つ携帯電話用アダプタ５０の内側に取付けた付加機能部品７０が回路を含む付加機能部品の場合の該回路を含む付加機能部品と電気的に接続されたアダプタ側部品接続コネクタ５３が、携帯電話に備えた電話側部品接続コネクタ２５に接触する。
【００３８】
次に、本発明の付加機能部品の具体例を説明する。
【００３９】
図１４は携帯電話用アダプタ５０の第１の例であり、図３，図９，図１０に示した付加機能部品７０が回路を含む付加機能部品の例としてのメモリカード７０１を取付けたメモリカードアダプタを、内面側からみた斜視図である。また、メモリカード７０１がなく、ホルダ５１を取付けたメモリカードアダプタと売り出し、お客がメモリカード７０１を別途購入して、ホルダ５１に挿入するようにしてもよい。
【００４０】
電池ケースを取り外してメモリカードアダプタを装着することにより、アダプタ側部品接続コネクタ５３が電話側部品接続コネクタ２６（図４）に接触して、メモリ容量の増設をすることができる。
【００４１】
図１５は携帯電話用アダプタ５０の第２の例であり、付加機能部品が回路を含む付加機能部品の例としてのチューナ回路モジュール７０２を取付けたチューナ回路モジュールアダプタを、内面側からみた分解斜視図である。ここで、チューナ回路モジュール７０２は、携帯電話帯域とは異なる帯域の放送電波（ラジオ放送電波，テレビ放送電波，衛星放送電波など）に対応したチューナ回路モジュールである。
【００４２】
携帯電話用アダプタ５０の内側にチューナ回路モジュール７０２を配置し、その外側にフレキシブル基板５２をのせ、フレキシブル基板５２の穴５２ａと部品接続コネクタ５３の穴５３ａを合わせてから、部品接続コネクタ５３をネジ５４で固定することで構成される。
【００４３】
電池ケースを取り外してチューナ回路モジュールアダプタを装着することにより、アダプタ側部品接続コネクタ５３が電話側部品接続コネクタ２６（図４）に接触して、携帯電話帯域とは異なる帯域の放送電波をチューナ回路モジュール７０２で受信し復調した出力を、携帯電話の表示部（モニタ）出力回路またはスピーカ出力回路に送り、表示部１１で見たり、スピーカ２３から聞くことができる。
【００４４】
図１６は携帯電話用アダプタ５０の第３の例であり、付加機能部品が回路を含む付加機能部品の例としての無線通信装置回路モジュール７０３を取付けた無線通信装置回路モジュールアダプタを、内面側からみた分解斜視図である。
【００４５】
携帯電話用アダプタ５０の内側に無線通信装置回路モジュール７０３を配置し、その外側にフレキシブル基板５２をのせ、フレキシブル基板５２の穴５２ａと部品接続コネクタ２５の穴２５ａを合わせてから、部品接続コネクタ２５をネジ５３で固定することで構成される。
【００４６】
電池ケースを取り外して無線通信装置回路モジュールアダプタを装着することにより、アダプタ側部品接続コネクタ５３が電話側部品接続コネクタ２６（図４）に接触して、無線通信信号を携帯電話に送ることができる。
【００４７】
図１７は携帯電話用アダプタ５０の第４の例であり、付加機能部品が回路を含む付加機能部品の例としてのアンテナモジュール７０４を取付けたアンテナモジュールアダプタを、内面側からみた分解斜視図である。ここで、アンテナモジュール７０４は、アダプタケースの内側の面積をいっぱいに利用した大型（大面積）のアンテナを配置したアンテナモジュールである。
【００４８】
携帯電話用アダプタ５０の内側にアンテナモジュール７０４を配置し、その外側にフレキシブル基板５２をのせ、フレキシブル基板５２の穴５２ａと部品接続コネクタ５３の穴５３ａを合わせてから、部品接続コネクタ５３をネジ５４で固定することで構成される。
【００４９】
電池ケースを取り外してアンテナモジュールアダプタを装着することにより、アダプタ側部品接続コネクタ５３が電話側部品接続コネクタ２６（図４）に接触して、アンテナ利得を向上させた、高感度受信の無線信号を携帯電話に送ることができる。
【００５０】
図１８は携帯電話用アダプタ５０の第５の例であり、付加機能部品が回路を含む付加機能部品の例としてのカメラモジュール７０５を取付けたカメラモジュールアダプタを、内面側からみた分解斜視図である。
【００５１】
携帯電話用アダプタ５０の内側にカメラモジュール７０５を配置し、その外側にフレキシブル基板５２をのせ、フレキシブル基板５２の穴５２ａと部品接続コネクタ５３の穴５３ａを合わせてから、部品接続コネクタ５３をネジ５４で固定することで構成される。
【００５２】
電池ケースを取り外してカメラモジュールアダプタを装着することにより、アダプタ側部品接続コネクタ５３が電話側部品接続コネクタ２６（図４）に接触することにより、携帯電話内部に納めるというスペース的制約が緩和されて大型の例えば高感度カメラ、高倍率カメラなどといった高機能カメラによる撮像信号を、携帯電話に送ることができる。
【００５３】
図１９は携帯電話用アダプタ５０の第６の例であり、付加機能部品が回路を含む付加機能部品の例としてのスピーカ７０６を取付けたスピーカアダプタを、内面側からみた分解斜視図である。
【００５４】
携帯電話用アダプタ５０の内側にスピーカ７０６を配置し、その外側にフレキシブル基板５２をのせ、フレキシブル基板５２の穴５２ａと部品接続コネクタ２５の穴２５ａを合わせてから、部品接続コネクタ２５をネジ５３で固定することで構成される。
【００５５】
電池ケースを取り外してスピーカアダプタを装着することにより、アダプタ側部品接続コネクタ５３が電話側部品接続コネクタ２６（図４）に接触することにより、携帯電話内部に納めるというスペース的制約が緩和されて大型の例えば高感音質な音声出力を携帯電話に送ったり、あるいは、携帯電話に取付けられたスピーカ１個に加えた２個目のスピーカでステレオ音声信号を聴くことができる。
【００５６】
図２０は携帯電話用アダプタ５０の第７の例であり、付加機能部品が回路を含まない付加機能部品の例としての吸盤７０７を表面に取付けた吸盤アダプタを、表面側からみた斜視図である。
【００５７】
電池ケースを取り外して吸盤アダプタを装着することにより、携帯電話を任意の例えば柱に直接固定することができる。
【００５８】
図２１は携帯電話用アダプタ５０の第８の例であり、付加機能部品が回路を含まない付加機能部品の例としての指かけ形状を設けたグリップ７０８を表面に取付けたグリップアダプタを、表面側からみた斜視図である。本例の他にも、アダプタの表面にゴム質塗装を施す、あるいは、アダプタケースの材質自体をゴム質にしたグリップ機能も挙げられる。
【００５９】
電池ケースを取り外してグリップアダプタを装着することにより、携帯電話を持ちやすくすることができる。
【００６０】
図２２は携帯電話用アダプタ５０の第９の例であり、付加機能部品が回路を含まない付加機能部品の例としての写真貼り付け用部位に好きな人の写真７０９を貼り付けた写真貼り付け用アダプタアダプタを、内面側からみた斜視図である。
【００６１】
電池ケースを取り外して、写真貼り付けアダプタを装着することにより、好きなときに好きな人の写真を、写真貼り付けアダプタを外して見ることができる。
【００６２】
図２３は携帯電話用アダプタ５０の第１０の例であり、付加機能部品が回路を含まない付加機能部品の例としてのゲーム埋め込みボックス７１０を埋め込んだゲームアダプタを、表面側からみた斜視図である。ここで、ゲーム埋め込みボックス７１０は簡単なゲーム（玉コロゲームや水中ポンプゲームなど）を埋め込んだボックスである。
【００６３】
電池ケースを取り外してゲームアダプタを装着することにより、ゲームを楽しむことができる。
【００６４】
図２４は携帯電話と付加機能部品との関係を示す、信号回路を含む構成図である。アンテナ２２からの受信信号はデュプレクサ８１を通して受信回路８２に送られ、次段のＡ／Ｄ変換回路８３でデジタル信号に変換され、制御部８４でデジタル処理され、次段のＤ／Ａ変換回路８５でアナログ信号に変換され、レシーバ１２から放音される。またマイク２３に向かってしゃべった音声信号は、Ａ／Ｄ変換回路８６でアナログ信号からデジタル信号に変換され、制御部８４でデジタル処理され、次段のＤ／Ａ変換回路８７でアナログ信号に変換され、パワー回路８８で電力増幅され、デュプレクサ８１を通してアンテナ２２から送信される。
また送信および受信の際、送信および受信信号は一旦メモリ８９に記憶され、一挙に送信および受信処理されてから、送信および受信される。
【００６５】
これらの動作をするための電源としての電池６０は、電池接続コネクタ２５を通して図示の場合は制御部８４に供給される。
【００６６】
また制御部８４に、電話側部品コネクタ２６と表示部１１とカメラ３１と操作キー２１とが接続されている。
【００６７】
安価な携帯電話は、電池収納部に収納された電池６０を覆う図５に示す電池フタ４０で覆う電池フタ付きの図２の状態で且つ折り畳んだ状態で、市場に販売される。
【００６８】
それに対して、本発明においては、図１４から図１９に示すところの、回路を含む付加機能部品７０１−７０６のいずれか、または図２０から図２３に示すところの、回路を含まない付加機能部品７０７−７１０のいずれかを取付けた、付加機能部品が各々異なる付加機能である複数の携帯電話用アダプタを市場に販売する。
【００６９】
このことにより、お客は、今必要とする付加機能を有する携帯電話用アダプタを購入して、携帯電話に装着することで、付加機能を満たすことができる。
【００７０】
またお客は、各々が異なる付加機能を有する複数の携帯電話用アダプタを購入して、あるときはこの携帯電話用アダプタをまた他のときには別の携帯電話用アダプタを選択して同じ携帯電話に装着することができるので、複数の付加機能を一台の携帯電話で満たすことができる。
【００７１】
なお、本発明の実施の形態において、携帯端末用アダプタは、携帯端末の電池ケースの代わりに装着する場合について説明したが、本発明はこれに限定されず、携帯電話のどの箇所に着脱可能にしてもよい。
【００７２】
【発明の効果】
本発明によれば、小型および軽量を維持しつつ、機能の多様化に対応した携帯端末用アダプタおよび携帯端末ならびに携帯端末用アダプタの選択装着方法
法を得ることができる。
【図面の簡単な説明】
【図１】本発明の実施の形態における携帯電話の使用状態を示す正面斜視図である。
【図２】図１の裏面斜視図であり、筐体の電池収納部を覆う着脱可能な電池フタを装着した図である。
【図３】図１の裏面斜視図であり、筐体の電池収納部を覆う着脱可能なフタの内側に、付加機能部品を取付けた携帯電話用アダプタを装着した図である。
【図４】携帯電話の携帯状態を示す裏面斜視図であり、筐体の電池収納部を覆う着脱可能な電池フタまたは電池収納部を覆う着脱可能なフタの内側に付加機能部品を取付けた携帯電話用アダプタを取り外した図である。
【図５】電池フタを内面側からみた斜視図である。
【図６】図２のＶＩ―ＶＩの線に沿う拡大断面図である。
【図７】図２のＶＩＩ―ＶＩＩの線に沿う断面図である。
【図８】図７のＶＩＩＩの部分の拡大断面図である。
【図９】携帯電話用アダプタを内面側からみた斜視図である。
【図１０】携帯電話用アダプタの分解斜視図である。
【図１１】図３のＸＩ―ＸＩの線に沿う拡大断面図である。
【図１２】図３のＸＩＩＸＩＩの線に沿う断面図である。
【図１３】図１２のＸＩＩＩの部分の拡大断面図である。
【図１４】携帯電話用アダプタの第１の例であり、図３，図９，図１０に示した付加機能部品が回路を含む付加機能部品の例としてのメモリカードを取付けたメモリカードアダプタを、内面側からみた斜視図である。
【図１５】携帯電話用アダプタ５０の第２の例であり、付加機能部品が回路を含む付加機能部品の例としてのチューナ回路モジュールを取付けたチューナ回路モジュールアダプタを、内面側からみた分解斜視図である。
【図１６】携帯電話用アダプタ５０の第３の例であり、付加機能部品が回路を含む付加機能部品の例としての無線通信装置回路モジュールを取付けた無線通信装置回路モジュールアダプタを、内面側からみた分解斜視図である。
【図１７】携帯電話用アダプタ５０の第４の例であり、付加機能部品が回路を含む付加機能部品の例としてのアンテナモジュールを取付けたアンテナモジュールアダプタを、内面側からみた分解斜視図である。
【図１８】携帯電話用アダプタの第５の例であり、付加機能部品が回路を含む付加機能部品の例としてのカメラモジュールを取付けたカメラモジュールアダプタを、内面側からみた分解斜視図である。
【図１９】携帯電話用アダプタ５０の第６の例であり、付加機能部品が回路を含む付加機能部品の例としてのスピーカを取付けたスピーカアダプタを、内面側からみた分解斜視図である。
【図２０】携帯電話用アダプタ５０の第７の例であり、付加機能部品が回路を含まない付加機能部品の例としての吸盤を表面に取付けた吸盤アダプタを、表面側からみた斜視図である。
【図２１】携帯電話用アダプタ５０の第８の例であり、付加機能部品が回路を含まない付加機能部品の例としての指かけ形状を設けたグリップ７０８を表面に取付けたグリップアダプタを、表面側からみた斜視図である。
【図２２】携帯電話用アダプタ５０の第９の例であり、付加機能部品が回路を含まない付加機能部品の例としての写真貼り付け用部位に好きな人の写真を貼り付けた写真貼り付け用アダプタアダプタを、内面側からみた斜視図である。
【図２３】携帯電話用アダプタの第１０の例であり、付加機能部品が回路を含まない付加機能部品の例としてのゲーム埋め込みボックスを埋め込んだゲームアダプタを、表面側からみた斜視図である。
【図２４】携帯電話と付加機能部品との関係を示す、信号回路を含む構成図である。
【符号の説明】
１０：第１の筐体、１１：表示部、１２；レシーバ、２０：第２の筐体、２１：操作キー、２２：アンテナ、２３：マイク、２４：電池収納部、２５：電池接続コネクタ、２６：電話側部品接続コネクタ、３０：ヒンジ部、３１：カメラ、４０：電池フタ、５０：携帯電話用アダプタ、５１：ホルダ、５２：フレキシブル基板、５３：アダプタ側部品接続コネクタ、５４：ネジ、６０：電池、７０：付加機能部品、７０１：メモリカード、７０２：チューナ回路モジュール、７０３：無線通信装置回路モジュール、７０４：アンテナモジュール、７０５：カメラモジュール、７０６：スピーカ、７０７：吸盤、７０８：グリップ、７０９：写真、７１０：ゲーム埋め込みボックス。
【図１】
2004266407.tif 000003
【図２】
2004266407.tif 000004
【図３】
2004266407.tif 000005
【図４】
2004266407.tif 000006
【図５】
2004266407.tif 000007
【図６】
2004266407.tif 000008
【図７】
2004266407.tif 000009
【図８】
2004266407.tif 000010
【図９】
2004266407.tif 000011
【図１０】
2004266407.tif 000012
【図１１】
2004266407.tif 000013
【図１２】
2004266407.tif 000014
【図１３】
2004266407.tif 000015
【図１４】
2004266407.tif 000016
【図１５】
2004266407.tif 000017
【図１６】
2004266407.tif 000018
【図１７】
2004266407.tif 000019
【図１８】
2004266407.tif 000020
【図１９】
2004266407.tif 000021
【図２０】
2004266407.tif 000022
【図２１】
2004266407.tif 000023
【図２２】
2004266407.tif 000024
【図２３】
2004266407.tif 000025
【図２４】
2004266407.tif 000026